(57)【特許請求の範囲】
【請求項１】
複数の山部が連続した鋸刃状の刃先部が形成された刃部を有し、前記刃先部に形成され、製袋充填機において搬送されてくる筒状のフィルムを搬送方向と交差する方向に鋸刃状に切断する切刃と、前記山部の頂部に形成され、切断されたフィルムの切り口の谷部に切込みを形成する補助刃とを備えるフィルム切断刃において、
前記切刃における前記各山部の傾斜辺となる側縁を、前記山部の頂部と各山部同士の接続部とを結ぶ直線よりも内側に凹んで湾曲した形状に形成すると共に、前記各山部の斜面となる側面も、前記傾斜辺に沿って内側に湾曲した形状をなし、
該切刃で突き切って鋸刃状に切断した前記フィルムの切り口のうち、一方は、山の稜線が外側に膨らんで湾曲すると共に、その谷部に前記補助刃により短寸の切込みを形成した鋸刃状の切り口からなり、他方は、山の稜線が内側に凹んで湾曲してその谷部には前記切込みを備えていない鋸刃状の切り口とする刃部により構成したことを特徴とする、フィルム切断刃。
【請求項２】
前記各山部同士の接続部が円弧状に形成されていることを特徴とする、請求項１に記載のフィルム切断刃。
【請求項３】
前記鋸刃状の刃先部が、前記刃部の幅方向の一部に形成されていることを特徴とする、請求項１または請求項２に記載のフィルム切断刃。
【発明の詳細な説明】
【技術分野】
【０００１】
本発明は、製袋充填機において筒状のフィルムを切断するフィルム切断刃に関し、特に、複数の山部が連続した鋸刃状の刃先部を備えた切断刃においてフィルムを鋸刃状に切断するとともに、その切断されたフィルムの切り口の谷部に切込みを形成し得るフィルム切断刃の改良技術に関する。
【背景技術】
【０００２】
この種のフィルム切断刃として、例えば下記特許文献１がある。特許文献１のフィルム切断刃は、Ｖ字型の山部が連続する鋸刃状の刃先部を有し、刃先部に形成された切断用の切刃と、各山部の頂部に形成された切込み形成用の補助刃とを備える。ここでの切刃は、山部の基端側の主切刃と、当該主切刃より鈍角な先端側の短寸な先端切刃とから成る。当該フィルム切断刃を備えた製袋充填機におけるエンドシール装置によってエンドシールされるとともに切断して得た袋詰品の両封止端縁の切り口はＶ字型の山が連続し、各谷部には短寸の切込みが形成される。これにより、開封し易い包装袋を得ることができる。
【先行技術文献】
【特許文献】
【０００３】
【特許文献１】特開平１１−３２０４７８号公報
【発明の概要】
【発明が解決しようとする課題】
【０００４】
特許文献１の如く従来では、各山部の側縁が直線的に延びるＶ字型の山部が連続した刃先部とすることで、これにより切断された袋詰品の両切り口は、いずれも同一形状となる。しかし、補助刃による切込みは、袋詰品の両切り口のうち、いずれか一方の切り口にしか形成されない。当該切込みは０．１〜０．２ｍｍ程度の僅かな切込量に設定されるのが一般的であって、袋詰品の開封に際して、両封止端縁の切り口のうちいずれの切り口に切込みが形成されているかについて目視で判別し難い。
【０００５】
そこで、本発明はこのような問題を解決するためになされたものであり、その目的は、袋詰品の封止端縁の切り口に形成された開封補助用の切込みが、いずれの封止端縁側の切り口にあるかについて容易に判別できるようにしたフィルム切断刃を提供することにある。
【課題を解決するための手段】
【０００６】
本発明は、複数の山部１０ａが連続した鋸刃状の刃先部１０が形成された刃部４を有し、刃先部１０に形成され、製袋充填機において搬送されてくる筒状のフィルムＦを搬送方向と交差する方向に鋸刃状に切断する切刃１１と、山部１０ａの頂部１０ｄに形成され、切断されたフィルムＦの切り口Ｌ１の谷部に切込みＬａを形成する補助刃１２とを備えるフィルム切断刃１であって、切刃１１における各山部１０ａの傾斜面となる側縁１０ｅが、前記山部の頂部１０ｄと各山部１０ａ同士の接続部１０ｃとを結ぶ直線よりも内側に凹んで湾曲した形状に形成されており、該切刃１１で切断した前記フィルムＦの切り口Ｌ１・Ｌ２のうち、一方の切り口Ｌ１の山の稜線が外側に膨らんで湾曲すると共に、その谷部に前記補助刃１２により短寸の切込みＬａを形成し、他方の切り口Ｌ２は山の稜線が内側に凹むよう湾曲し、その谷部に前記切込みを形成しない刃部４により構成したことを特徴とする。
【０００７】
これによれば、鋸刃状の両切り口Ｌ１・Ｌ２のうち、一方は稜線が外側に湾曲する山が連続する切り口Ｌ１となることに対し、他方は稜線が内側に湾曲した山が連続する切り口Ｌ２となる。このように、得られる袋詰品Ｐの両封止端縁に形成される切り口Ｌ１・Ｌ２の形状が互いに異なることで、切込みＬａが形成された側の切り口Ｌ１を目視によって即座に判別することができる。また、切刃１１が形成される山部１０ａの側縁１０ｅを内側に湾曲する形状としたので、Ｖ字型の直線状の側縁で構成される山部よりも刃先を鋭くすることができ、フィルム切断刃１で切断する際に、各山部１０ａの先端１０ｐをフィルムＦへより確実に突き刺すことができる。しかも、その後は湾曲した切刃１１によって円滑にフィルムＦが切断されていくので、刃先部１０の耐久性を高めることもできる。
【０００８】
各山部１０ａ同士の接続部１０ｃは、円弧状に形成することが好ましい。各山部１０ａ同士の接続部１０ｃを円弧状にすることで、当該接続部１０ｃにおけるでフィルムＦの引っ掛かりを防止して、突き切り終期までフィルムＦを円滑に切断でき、切り口Ｌを綺麗な切断ラインとすることができる。
【０００９】
なお、鋸刃状の刃先部１０は、刃部４の幅方向の一部に形成してもよい。
【発明の効果】
【００１０】
本発明のフィルム切断刃によれば、製袋充填機で得た袋詰品において開封補助用の切込みが形成された側の切り口を即座に判別できると共に、より確実にフィルムを切断することができる。
【図面の簡単な説明】
【００１１】
【図１】実施例１に係るフィルム切断刃本体の正面図である。
【図２】刃部の要部拡大正面斜視図である。
【図３】刃部の側面図である。
【図４】刃部の要部拡大背面斜視図である。
【図５】製袋充填機におけるエンドシール機構の概略正面図である。
【図６】フィルムを切断している状態を示すエンドシール機構の要部拡大側面図である。
【図７】袋詰品の切断状態を示す平面図である。
【図８】図７の切り口を示す部分拡大図である。
【図９】実施例２に係る刃先部の部分拡大正面図である。
【図１０】変形例に係るフィルム切断刃本体の正面図である。
【発明を実施するための形態】
【００１２】
以下に、図面を参照しながら本発明に係るフィルム切断刃の実施の形態について説明する。なお、以下の実施例では、説明の便宜上図１、図２に示す側を正面、図４に示す側を背面とするが、これに限定されることはなく、図１、図２に示す側を背面、図４に示す側を正面と捉えることもできる。
【００１３】
（実施例１）
フィルム切断刃本体（以下、切断刃本体と称す）１は所定の厚みを有する扁平な板状であって、図１に示すように、本体部２と、本体部２の下方に連続し本体部２より幅広の支持部３と、支持部３の下方に連続し支持部３より幅広の刃部４とを一体的に有し、刃部４の先端部に、複数の山部１０ａが等間隔で連続した鋸刃状の刃先部１０が形成されている。刃先部１０は、刃部４の幅方向両端に亘って形成されており、刃先部１０の先端を結ぶ線は所定の角度αでシャー角が与えられている。
【００１４】
図２，図３に示すように、刃先部１０の各山部１０ａの厚み方向の一方の面（以下、正面と称す）側は切断刃本体１の正面と面一であり、隣り合う各山部１０ａの間には、刃部４の先端部に向けて複数の末拡がりな凹部１０ｂが形成されている。各凹部１０ｂは上方（山部１０ａの基端側）から下方（先端側）にかけて深く形成されていることで、各山部１０ａ同士の接続部１０ｃ（山裾の交差部）は、切断刃本体１の正面側から厚み方向の他方の面（以下、背面と称す）側へ傾斜している。一方、図３，図４に示すように、刃先部１０の背面側は、先端にかけて切断刃本体１の背面側から正面側へ傾斜している。これにより、刃先部１０には幅方向に連続する切刃１１が形成されている。このように切刃１１を所定角度傾斜して形成することで、切断刃本体１で突き切ったフィルムが、鋸刃状に切断される。また、各山部１０ａの頂部１０ｄには、短寸の補助刃１２が各切刃１１の並び方向と直交するように形成されている。当該補助刃１２は、山部１０ａの背面側における頂点１０ｐから切断刃本体１の正面側における山部１０ａの基端側に向けて鋭角に延びている。この補助刃１２の傾斜による厚み方向寸法が、後述の切込み長さと対応する。そして、図２，図４に示すように、各山部１０ａの傾斜辺となる側縁１０ｅが、内側に湾曲した形状に形成されており、それによってその山部１０ａの斜面となる側面１０ｓも同様に内側に湾曲した形状となっている。
【００１５】
この切断刃本体１は、製袋充填機におけるエンドシール機構２０に装着して使用される。図５に示すように、製袋充填機として代表される横形製袋充填機に設置されるエンドシール機構２０には、昇降可能な一対の可動部材２２，２３のそれぞれに、シール体２４，２５が配設され、一方のシール体２４に切断刃本体１が挿通された状態で着脱可能に装着されている。
【００１６】
図６に示すように、筒状に形成されたフィルム中に所定間隔毎に供給された被包装物Ｗの中間位置を一対のシール体２４，２５によって挟持してフィルムＦの搬送方向に向けて水平移動する際に、フィルムＦが幅方向両端に亘って熱融着シールされてエンドシール部Ｆａが形成される（図７参照）。また両シール体２４，２５がフィルムＦを挟持した際に、切断刃本体１が作動されることで、シール体２４，２５の切断刃本体１を挟む前後位置に設けられた各シール面２４ａ、２５ａ・２４ｂ、２５ｂによって溶着された各エンドシール部Ｆａ・Ｆａの間を、刃先部１０がフィルムＦを突き切ることでフィルムＦが搬送方向と交差する方向に切断され、図７に示すように、袋詰品Ｐの封止端部としての両エンドシール部Ｆａ・Ｆａの外側に、幅方向両端に亘って鋸刃状の切り口Ｌが形成される。切刃１１が形成された山部１０ａの各側縁１０ｅは内側に湾曲して形成されているので、図８に示すように、袋詰品Ｐにおける両封止端縁には、稜線が外側に湾曲した山が連続する鋸刃状の一方の切り口Ｌ１と、稜線が内側に湾曲する山が連続する鋸刃状の他方の切り口Ｌ２とが、それぞれ形成される。一方の切り口Ｌ１における各谷部には、補助刃１２によって短寸の切込みＬａが谷部の奥側に向けて形成される。このように、得られる袋詰品Ｐの両封止端縁における切り口Ｌ１・Ｌ２が、互いに異なる形状となっていることで、切込みＬａが形成された側の切り口Ｌ１を目視によって即座に判別することができる。また、切刃１１を内側に湾曲する形状としたので、Ｖ字型の切刃よりも刃先を尖らせてフィルムＦへの突き刺しを良好に行うことができる。
【００１７】
（実施例２）
図９に、本発明に係るフィルム切断刃の切刃１１の形状についての別実施例としての実施例２を示す。実施例１では各山部１０ａ同士の接続部１０ｃに角部が形成されるのに対し、実施例２では、各山部１０ａ同士の接続部１０ｃが円弧状に凹んで形成されていることを特徴とする。これによれば、各接続部１０ｃには基端から先端にかけて角部が形成されることがなく、筒状のフィルムＦを切断する際に、接続部１０ｃに形成された角部によるフィルムＦの引っ掛かりを防ぐことができる。したがって、突き切り初期から突き切り終期に亘ってフィルムＦを円滑に切断できる。また、袋詰品Ｐの両封止端縁に形成される切り口Ｌ１・Ｌ２が綺麗な流線型となるので、見栄えも良い。その他の基本的構成は実施例１と同様なので、同じ部位に同じ符号を付してその説明を省略する。
【００１８】
（変形例）
なお、鋸刃状の刃先部１０は、必ずしも刃部４の幅方向両端に亘って設ける必要は無く、刃部４の幅方向の一部のみに形成することもできる。例えば図１０に示すように、１つの切断刃本体１の刃部４において、一定の幅を有する鋸刃状の刃先部１０を間隔をあけて並設し、その間に封止端縁を直線状の切り口とする直線刃１３を設けるようにしてもよい。
【００１９】
上記実施例では、横形製袋充填機に設けたフィルム切断刃として例示したが、縦形製袋充填機などの各種製袋充填機に適用することができる。実施例におけるシャー角については、刃部４の幅方向中央を基点に両側が低くなるように設定したり、あるいはシャー角を設けないようにするなど、フィルムの材質や厚みなどの種々の切断条件に応じて設定されるものであればよい。また、その他の構成において実施例に限定されるものではなく、本発明の要旨を逸脱しない範囲で、種々の変更が可能である。
【符号の説明】
【００２０】
４  刃部
１０  刃先部
１０ａ  山部
１０ｃ  接続部
１０ｄ  頂部
１０ｅ  山部の側縁
１１  切刃
１２  補助刃
Ｆ  フィルム
Ｌ１  切込みを有する一方の切り口
Ｌ２  切込みを有しない他方の切り口
Ｌａ  切込み
【図１】
0005596971.tif 000002
【図２】
0005596971.tif 000003
【図３】
0005596971.tif 000004
【図４】
0005596971.tif 000005
【図５】
0005596971.tif 000006
【図６】
0005596971.tif 000007
【図７】
0005596971.tif 000008
【図８】
0005596971.tif 000009
【図９】
0005596971.tif 000010
【図１０】
0005596971.tif 000011